(57)【要約】【課題】  良好な間接照明となり、また読書灯としても使用することができ、更にリラクゼーション効果を高めることのできる照明装置を提供する。【解決手段】  移動手段５を介し、取付面Ｗ側に収納される収納位置から、取付面Ｗから遠ざかった引出位置に亘り移動可能な照明光源４と、照明光源４が収納位置にある時に、照明光源４からの光線上にあり、光を拡散し得る光拡散部材１０，９を備え、照明光源４が引出位置にある時には、該光拡散部材１０，９は照明光源４の光線上から外れるように配置して構成する。【選択図】  図１
2006338971.tif 000002
【特許請求の範囲】
【請求項１】
移動手段を介し、取付面側に収納される収納位置から、取付面から遠ざかった引出位置に亘り移動可能な照明光源と、
該照明光源が収納位置にある時に、該照明光源からの光線上にあり、光を拡散し得る光拡散部材を備え、
照明光源が引出位置にある時には、該光拡散部材は照明光源の光線上から外れるように配置したことを特徴とする照明装置。
【請求項２】
前記照明光源を覆う照明ケースの外縁と、前記光拡散部材の外縁とが、収納位置において面一に整合されるように構成したことを特徴とする請求項１に記載の照明装置。
【請求項３】
前記照明光源には音響装置が内蔵されており、収納位置から引出位置へ移動させた時に音楽が流れるように構成したことを特徴とする請求項１または請求項２に記載の照明装置。
【請求項４】
前記照明装置を、住空間あるいは水回り空間に複数設置して、ステレオ音響が得られるように構成したことを特徴とする請求項３に記載の照明装置。
【発明の詳細な説明】
【技術分野】
【０００１】
本発明は、住空間あるいは浴室等の水回り空間に設置される照明装置に関するものである。
【背景技術】
【０００２】
従来、特許文献１に開示されているように、本体を引き出すと、間接照明から直接照明に切り替わるように構成された照明装置が存在する。
【特許文献１】実開平７−１１４４３号公報
【発明の開示】
【発明が解決しようとする課題】
【０００３】
上記特許文献１に開示されている構成の照明装置では、スポット光を反射させる構成であるため、間接照明時に充分にスポット光が拡散せず、良好な間接照明効果を得られ難いという問題点があった。
【課題を解決するための手段】
【０００４】
本発明は上記従来の問題点に鑑み案出したものであって、良好な間接照明となり、また引き出すことにより良好に読書が行える照明装置を提供するものであり、その請求項１は、移動手段を介し、取付面側に収納される収納位置から、取付面から遠ざかった引出位置に亘り移動可能な照明光源と、該照明光源が収納位置にある時に、該照明光源からの光線上にあり、光を拡散し得る光拡散部材を備え、照明光源が引出位置にある時には、該光拡散部材は照明光源の光線上から外れるように配置したことである。
【０００５】
また請求項２は、前記照明光源を覆う照明ケースの外縁と、前記光拡散部材の外縁とが、収納位置において面一に整合されるように構成したことである。
【０００６】
また請求項３は、前記照明光源には音響装置が内蔵されており、収納位置から引出位置へ移動させた時に音楽が流れるように構成したことである。
【０００７】
また請求項４は、前記照明装置を、住空間あるいは水回り空間に複数設置して、ステレオ音響が得られるように構成したことである。
【発明の効果】
【０００８】
本発明の照明装置は、移動手段を介し、取付面側に収納される収納位置から、取付面から遠ざかった引出位置に亘り移動可能な照明光源と、照明光源が収納位置にある時に、照明光源からの光線上にあり、光を拡散し得る光拡散部材を備え、照明光源が引出位置にある時には、光拡散部材は照明光源の光線上から外れるように配置したことにより、照明光源を取付面側に収納させた状態では、照明光源からの光を光拡散部材を介して良好に拡散させて、良好な間接照明を得ることができ、また、照明光源を取付面から遠ざけ、引出位置に照明光源を移動させて、良好に照明光源からの光で読書を行うことができるものとなる。
【０００９】
また、照明光源を覆う照明ケースの外縁と、光拡散部材の外縁とが、収納位置において面一に整合されるように構成したことにより、収納位置においては、照明ケースと光拡散部材が整合されて、すっきりとした意匠性に優れた形態を成すものとなる。
【００１０】
また、照明光源には音響装置が内蔵されており、収納位置から引出位置へ移動させた時に音楽が流れるように構成したことにより、照明光源を引出位置へ移動させると音楽が流れるため、リラックスした状態で読書等を行うことができるものとなる。
【００１１】
また、照明装置を、住空間あるいは水回り空間に複数設置して、ステレオ音響が得られるように構成したことにより、複数の照明装置を設置して、それぞれの照明装置から音楽を流すことにより、住空間あるいは水回り空間内で良好なステレオ音響が得られ、良好なリラクゼーション効果が得られるものとなる。
【実施例】
【００１２】
以下、本発明の実施例を図面に基づいて説明する。
図１は、照明装置の縦断面概略構成図であり、照明装置１は、住空間あるいは浴室等の水回り空間の取付壁面Ｗに取付固定されるものであり、図１は収納位置を示している。
なお、この照明装置１は、図２の斜視図で示すように、上側の照明ケース３を取付壁面Ｗから遠ざける方向に移動手段を介して引き出して、読書等を行うことができる引出位置に移動できるものである。
【００１３】
照明装置１は、複数のビス１３，１３，１３により取付壁面Ｗに取付固定される円形平板状の固定板２を備え、この固定板２の前面上部に、下方を開放させた半球状の照明ケース３が設けられ、固定板２の前面下部に半球状の光拡散カバー９が設けられ、図１の収納状態では、上方の照明ケース３と下方の光拡散カバー９が面一状に整合されて、球体状の意匠性に優れた照明装置１を構成している。
【００１４】
なお、下方の光拡散カバー９は、例えば乳白色等で光を拡散できるものであり、この光拡散カバー９の上面には、略水平状に着色光拡散板１０が嵌め込まれて、この着色光拡散板１０により光拡散カバー９の上面は蓋されたものとなっている。
上面の着色光拡散板１０は、光を拡散することができ、黄色や青色，赤色等に適宜着色されて、着色した色の間接照明光が得られるように構成されている。
【００１５】
また、上方の照明ケース３の内部には、超高輝度ＬＥＤで構成される照明光源４が設けられており、この照明光源４を照明ケース３内に保持する固定具６には、首振り用ジョイント部７が形成されており、首振り用ジョイント部７の後端にはスライド筒体５ｃが連結されている。このスライド筒体５ｃは、固定板２に貫通固定されて取付壁面Ｗから裏側へ突出された固定筒体５ａ内で、ベアリング５ｂを介して前後方向にスライド移動できるものである。
なお、この固定筒体５ａ，ベアリング５ｂ，スライド筒体５ｃで、照明光源４及び照明ケース３の移動手段５が形成されている。
【００１６】
本例では、照明光源４は下向き方向に固定具６で照明ケース３内に保持されており、照明ケース３を図２に示すように、取付壁面Ｗから遠ざける方向へ引き出すことで、即ち、スライド筒体５ｃを前方側へスライドさせて、照明ケース３と共に照明光源４を取付壁面Ｗから遠ざかった引出位置に引き出すことができ、この図２のような引出位置では、照明光源４の光はスポット光として照明ケース３の開放された下面から下方側へ照射され、この照明光源４のスポット光により良好に読書等を行うことができるものとなる。
【００１７】
なお、図２の状態で、首振り用ジョイント部７を介して、照明ケース３を照明光源４と共に左右上下方向に角度調整できるものである。
このように、図２のような引出位置に引き出して、照明光源４の光で読書等を行うことができ、再び図１の状態、即ち収納位置に照明ケース３を戻すと、照明ケース３は光拡散カバー９と面一状を成して、良好な防水性が確保された状態で、全体が球状を成し、この状態で照明スイッチがＯＮされている場合には、照明光源４からの下向きの光が着色光拡散板１０で拡散され、更に下方側の光拡散カバー９で拡散されて、光拡散カバー９の部分全体が良好な間接照明光を発するものである。
なお、図中８は、スライド筒体５ｃ内に壁の裏側から配線された照明光源４用の配線である。
【００１８】
なお、本例の照明装置１では、更に図３の斜視図で示すように、下方側の光拡散カバー９を上下移動できるように構成されており、固定板２の前面にスペーサー１１ａを介在させて固設された上下スライドガイド板１１に光拡散カバー９の後面側が嵌め込まれており、この上下スライドガイド板１１にガイドされて、光拡散カバー９は上下方向に移動させることができ、図３のように光拡散カバー９を下方側へ移動させた状態では、上下スライドガイド板１１の表面側に設けられているスイッチ１２が露出するように構成されており、このスイッチ１２には、壁裏側から配線８が接続されている。
なお、このスイッチ１２は、１個であっても複数個設けたものであっても良く、浴室に設置される場合には、例えば浴室照明，浴室空調，給湯を含むリモコン受信部で構成することもできるものである。
【００１９】
なお、下側の光拡散カバー９内に、例えばスピーカーを内蔵させておき、図２のような引出位置に照明ケース３が引き出された時に、スピーカーから音楽が流れるように構成しておくこともでき、このような構成では、読書する際に良好なＢＧＭ音楽が流れて、リラックスした状態で読書等を行うことができるものとなる。また逆に、収納位置にある時にＢＧＭ音楽が流れて、引出位置に照明ケース３が引き出された時に、スピーカーからの音楽がオフされるように構成しておくこともできる。
【００２０】
なお、図４の概略図で示すものは、移動手段５を変更させたものであり、移動手段５を、固定板２から室内側に突出状に固定した固定筒体５ａと、この固定筒体５ａ内でベアリング５ｂを介しスライド移動できる中間スライド筒体５ｄと、この中間スライド筒体５ｄ内でベアリング５ｂを介しスライド移動できるスライド筒体５ｃで、３段状に形成したものである。
このような３段あるいは４段の筒体を用いた移動手段５によれば、固定筒体５ａを取付壁面Ｗの裏側へ突出させる必要がなくなり、取付壁面Ｗの裏側と躯体間の隙間が狭い浴室ユニットにも照明装置１を良好に設置できるものとなる。
なお、このような３段あるいは４段式の移動手段５において、スライド途中の位置で止められるようなロック機構を備えておけば、適宜照明ケース３の引き出し長さを調整できるものとなる。
【００２１】
更に図５の平面概略構成図で示すものは、移動手段５を構成するスライド筒体５ｃを斜め方向に室内側へ引き出せるように構成したものであり、取付壁面Ｗの裏側では、固定筒体５ａを傾斜させて、裏側への突出寸法を短くして配置することができ、このような構成では固定筒体５ａの壁裏への突出寸法が少なくなるため、取付壁面Ｗと裏側の躯体Ｋ間の隙間ａが狭い浴室ユニット等にも良好に設置できるものとなり、スライド筒体５ｃを介し、斜め方向にスライドさせて照明ケース３及び照明光源４を引き出して、引出位置と収納位置間をスライド移動させることができるものである。
【００２２】
更に図６の平面図で、また図７の側面図で示すものは、移動手段を変更した例であり、図６及び図７では、着色光拡散板１０上に２本のガイドレール５１ａ，５１ａを敷設し、このガイドレール５１ａ，５１ａに沿ってスライド移動できるガイドレール５１ｂを照明ケース３の下面側に設けて、移動手段５１を形成したものであり、このようなガイドレール式の移動手段５１であっても、良好に照明ケース３を収納位置から引出位置へ移動させることができるものである。
【００２３】
更には、図８に示すように、蛇腹部材を用いた移動手段５２により、照明ケース３を収納位置から引出位置に亘り移動できるように構成しておくこともでき、引出位置において蛇腹部材を介して照明ケース３の向きを左右前後に良好に調整できるものとなる。
【００２４】
また更には、図９に示すようなパンタグラフ部材を用いた移動手段５３で構成することもでき、この図９の移動手段５３は、例えば４本のアーム５３ａ，５３ａ，５３ａ，５３ａが連結軸５３ｂ，５３ｂ，５３ｂ，５３ｂで連結されてパンタグラフ式に形成されており、このパンタグラフ部材を伸縮させて良好に照明ケース３を収納位置から引出位置へ移動させることができるものである。
【００２５】
なお、図１０に示すように、浴室１５の浴槽１６の周辺等の壁面Ｗに、複数の照明装置１，１，１を設けて構成し、それぞれの照明装置１にスピーカーを内蔵させておき、複数の照明装置１，１，１でステレオ音響を作れるように構成しておけば、浴室内でステレオ音響を聞きながら、リラクゼーション効果を高めることができるものとなる。
なお、複数の照明装置を設ける場合に、それぞれの照明装置１の着色光拡散板１０の色を異なるものとしておけば、好みの色の間接照明光を得ることができるものとなる。
【００２６】
なお、図１，図２，図３では、収納状態でデザイン性に優れた球状を成す照明装置１を例示したが、図１１の概略図で示すような構成の照明装置とすることもできるものである。
即ち、図１１では、照明ケース３内に設けたＬＥＤの照明光源４をスライドバー５４に連結し、このスライドバー５４を取付壁面Ｗに対し水平方向に引き出せるように構成しておき、また取付壁面Ｗから板状の着色光拡散板１０を水平状に突出させておき、照明ケース３を取付壁面Ｗに当接状に収納させた状態で、照明光源４からの光を着色光拡散板１０で拡散させて間接照明光が得られるように構成し、また、スライドバー５４を介して照明ケース３と共に照明光源４を引出位置に引き出して、照明光源４の光で良好に読書できるように構成しておくことができる。
【００２７】
また更に、図１２のように簡略化させ、照明ケース３を省略して、スライドバー５４に連結されたＬＥＤの照明光源４と、その下方の着色光拡散板１０で照明装置１を構成しておくこともできるものである。
【００２８】
次に、図１３で示すものは、浴槽１６のフランジ部１６ａの上面に、クッション１７と共に照明装置１を設けた場合の例であり、フランジ部１６ａの下方の空間Ｓ内には、配線，配管、その他、付帯機器を収納させることができるものである。
【００２９】
なお、クッション１７と一体化された照明装置は、例えば図１４の平面図で示すような構成であり、クッション１７の左右両側に照明装置１，１が設けられており、クッション１７内にはスピーカー１８，１８や香りを発生する香り発生装置１９を内蔵させておくことができ、更にクッション１７内には、タイマーやラジオやオーディオ等を内蔵させておくこともでき、更には酸素発生器を内蔵させることもできるものである。
【００３０】
例えば、図１４において、図示左側の照明装置１は、照明ケース３を移動できないように構成して、専ら間接照明用として用いることができるように構成し、図示右側の照明装置１では照明ケース３を、例えば蛇腹部材による移動手段５２で上方側へ持ち上げて引出位置に移動させることができるように構成しておき、図１３に示すように、浴槽１６内で読書を行う際には、照明ケース３を上方へ立ち上げて照明光源４からのスポット光で良好に読書できるものとなる。
なお、読書時にスピーカー１８，１８からＢＧＭを流し、リラックスした状態で浴槽１６内で読書を楽しむことができるものとなる。
なお、この際、同時に香り発生器から良好な香りが発生されれば、より良好なリラクゼーション効果が得られるものとなる。
【００３１】
なお、図１４のような照明装置の場合に、図１５の拡大平面断面図で示すような内部構造を採用することもできるものである。
即ち、図１５では、照明ケース３を例えば乳白色のものとし、内部にＬＥＤの照明光源４を配設し、この照明光源４に対し照明ケース３側には円弧状の円弧反射板２１を設け、反対側に中央開口１０ａを有する着色光拡散板１０を配設し、更にその左側のクッション１７側に平反射板２０を配設して構成することができる。
平反射板２０及び着色光拡散板１０はクッション１７側に固定させておき、照明ケース３，照明光源４，円弧反射板１２が一体で上方へ移動できるように構成して、読書用にも使用することができ、この場合は、円弧反射板２１により照明光源４の光が反射されてスポット光となり、良好に読書することができる。
また照明ケース３を収納させた状態では、図１５に示すように、照明光源４からの光が中央開口１０ａを通り、平反射板２０に反射され、反射された光は、着色光拡散板１０及び照明ケース３で拡散され、これにより照明ケース３全体が間接照明光を発することとなる。
【００３２】
なお、図１６のように照明装置１を構成することもでき、図１６の照明装置１は、照明ケース３と光拡散カバー９が面一状に整合された収納状態では球状を成し、この収納状態で、照明光源４の図示左側に設けられた着色光拡散板１０の中央開口１０ａを通る光が、その左側に配設された開口２０ａを有する平反射板２２で反射され、反射された光は着色光拡散板１０で拡散され、更に照明ケース３で拡散されて、照明ケース３全体が間接照明光を発するとともに、照明光源４からの光は、平反射板２０の中央の開口２０ａを通り、反対側の光拡散カバー１０により拡散されて、光拡散カバー９も間接照明光を発し、光拡散カバー９と照明ケース３の両方が同時に間接照明光を発することができるものとなり、デザイン的に優れた照明装置１となる。
なお、照明ケース３と照明光源４と円弧反射板２１を一体で移動させて、読書灯としても使用することができるものとなる。
【図面の簡単な説明】
【００３３】
【図１】収納位置における照明装置の縦断面概略構成図である。
【図２】照明装置を引出位置に移動させた状態の斜視構成図である。
【図３】更に下方の光拡散カバーを下げた状態の斜視構成図である。
【図４】３段式の移動手段を設けた場合の変更例を示す概略側面構成図である。
【図５】斜め方向に移動させることができるように構成した場合の平面概略構成図である。
【図６】移動手段をガイドレールで構成した場合の平面構成図である。
【図７】図６の側面概略構成図である。
【図８】移動手段を蛇腹部材で構成した場合の概略側面構成図である。
【図９】移動手段をパンタグラフ部材で構成した場合の概略側面構成図である。
【図１０】照明装置を浴室内に複数設置した場合の斜視構成図である。
【図１１】簡略化した照明装置の側面配置構成図である。
【図１２】更に簡略化した照明装置の側面配置構成図である。
【図１３】浴槽のフランジ部上に照明装置を設置し、読書灯として使用している状態の概略構成図である。
【図１４】図１３の照明装置の平面概略構成図である。
【図１５】照明ケースが収納時に間接照明光を発することができるように構成した内部構造平面図である。
【図１６】更に左右両側が収納時に間接照明光を発することができるように構成した場合の内部構成図である。
【符号の説明】
【００３４】
１  照明装置
２  固定板
３  照明ケース
４  照明光源（超高輝度ＬＥＤ）
５  移動手段
５ａ  固定筒体
５ｂ  ベアリング
５ｃ  スライド筒体
５ｄ  中間スライド筒体
６  固定具
７  首振用ジョイント部
８  配線
９  光拡散カバー
１０  着色光拡散板
１０ａ  中央開口
１１  上下スライドガイド板
１２  スイッチ
１３  ビス
１５  浴室
１６  浴槽
１６ａ  フランジ部
１７  クッション
１８  スピーカー
１９  香り発生装置
２０  平反射板
２０ａ  開口
２１  円弧反射板
５１  ガイドレールを用いた移動手段
５２  蛇腹部材を用いた移動手段
５３  パンタグラフ部材を用いた移動手段
５４  スライドバー
Ｗ  取付壁面
【図１】
2006338971.tif 000003
【図２】
2006338971.tif 000004
【図３】
2006338971.tif 000005
【図４】
2006338971.tif 000006
【図５】
2006338971.tif 000007
【図６】
2006338971.tif 000008
【図７】
2006338971.tif 000009
【図８】
2006338971.tif 000010
【図９】
2006338971.tif 000011
【図１０】
2006338971.tif 000012
【図１１】
2006338971.tif 000013
【図１２】
2006338971.tif 000014
【図１３】
2006338971.tif 000015
【図１４】
2006338971.tif 000016
【図１５】
2006338971.tif 000017
【図１６】
2006338971.tif 000018